(57)【要約】【課題】接地、着地時に滑りにくく、接地時の衝撃は小さく、かつ立て掛けた際に倒れにくい杖を提供する。【解決手段】軸部材１３と自在継ぎ手５の外周をコイルスプリング６で囲み、コイルスプリング６をゴム製のカバー筒体１４で囲み、カバー筒体１４の上部に、棒状のフットピース４の下端部４ａを受け入れる凹部１４ａを設け、カバー筒体１４によって杖の下端であるフットピース４の下端部４ａに着脱可能とした。コイルスプリング６は、フットピース４の下端部と石突き７の軸部材１３より広径の圧縮スプリングで、フットピース４の下端部と石突き７の軸部材１３の上端及び自在継ぎ手５の外周を囲み、フットピース４や石突き７の揺動回転に応じて撓み、かつ撓んだ状態でフットピース４と石突き７の軸部材１３が一直線上に並ぶ状態へ復帰するように付勢する。【選択図】図１
0003131874.tif 000002
【実用新案登録請求の範囲】
【請求項１】
石突きを平板状の接地部材と該接地部材の中央から上方へ突出する軸部とで構成し、該軸部上端に自在継ぎ手を取り付け、上記軸部と上記自在継ぎ手の外周をコイルスプリングで囲み、少なくとも該コイルスプリングをゴム製のカバー筒体で囲み、該カバー筒体の上部に、棒状の杖の下端を受け入れる凹部を設けてなることを特徴とする杖先部材。
【請求項２】
上記接地部材の下面及び側面並びに上面の外周縁部を滑り止め用ゴム材で覆ってなることを特徴とする請求項１の杖先部材。
【請求項３】
請求項１または２の杖先部材を下端に取り付けてなることを特徴とする杖。
【考案の詳細な説明】
【技術分野】
【０００１】
本考案は杖の下端に取り付ける杖先部材と、これを取り付けた杖に関する。
【背景技術】
【０００２】
人の歩行や移動を補助するために用いる杖には、松葉杖等の二股状のものや、ステッキ等の棒状のものが種々知られているが、これらはいずれも石突きあるいは杖先（本明細書において、同様部分を総称して石突きという。）と称される部分と、二股状や棒状の杖としての本体部分とからなり、松葉杖ではこれらに加えて身体を支持するための腕あてや横木を杖体側に備えている。
【０００３】
ところで杖の石突きは、多くは先端側、すなわち地面を突く側を細くした形状の部材となっているが、このような先細形状では接地状態が安定しないとして設置面積を大きくしたものが多く提案されている。
【０００４】
すなわち、先細状の石突きを有する杖では、歩行時に使用者が体重を掛けて着地させると、設置面積が小さいために滑りやすく、転倒などの原因になりやすい。またいわば点で接地するため、接地のさせ方によっては着地した時に受ける反力が緩衝されずに杖体に伝わり、使用者の手や脇、肩に不愉快な衝撃を感じさせるような事態になりやすい。
【０００５】
一方、設置面積を広げた石突きを有する杖では、上述のような先細の石突きのような不具合は解消できるが、石突きの下面と杖体の軸線がなす角度が一定、具体的には直角、に固定されたままであることに起因する不具合がある。すなわち、杖体をまっすぐに地面に着くようにして石突きの下面を接地させるのが最も安定性が高いが、これは非常に不自然な動作になりやすく、したがって杖体を地面に対して傾けて適当な角度で降ろしてゆき、石突きの下面の縁から徐々に面全体を接地させてゆくことになる。ところが、このような接地のさせ方では、石突きの下面全体が接地するまでは非常に不安定であり、また石突きの下面の縁が摩耗したり、損傷したりしやすかった。
【０００６】
また先細状の石突きを有する杖でも、設置面積を広げた石突きを有する杖でも、壁や椅子、机等に立て掛ける場合に、滑って倒れやすいという欠点がある。すなわち、前者では元々設置面積が小さいので滑りやすい。また後者でもまっすぐには立て掛けられないので、斜めに傾けることになり、石突き下面の縁だけが接地することになるので、やはり滑って倒れやすい。
【考案の開示】
【考案が解決しようとする課題】
【０００７】
本考案は、上記従来の問題点にかんがみてなしたものであり、滑りにくく、接地時の衝撃は小さく、かつ立て掛けた際に倒れにくい杖を提供することを目的とする。
【課題を解決するための手段】
【０００８】
本考案の杖先部材のうち請求項１に係るものは、石突きを平板状の接地部材と該接地部材の中央から上方へ突出する軸部とで構成し、該軸部上端に自在継ぎ手を取り付け、上記軸部と上記自在継ぎ手の外周をコイルスプリングで囲み、少なくとも該コイルスプリングをゴム製のカバー筒体で囲み、該カバー筒体の上部に、棒状の杖の下端を受け入れる凹部を設けてなることを特徴とする。
【０００９】
また請求項２に係るものは、上記接地部材の下面及び側面並びに上面の外周縁部を滑り止め用ゴム材で覆ってなることを特徴とする。
【００１０】
さらに請求項３に係る本考案の杖は、請求項１または２の杖先部材を下端に取り付けてなることを特徴とする。
【考案の効果】
【００１１】
本考案に係る杖先部材は、下端が棒状であればどのような杖でも受け入れて簡単に取り付けることができ、石突きの接地部材が先細の杖の石突きと同様に素早く地面や床面等に接地し、しかも設置面積が広いので接地状態が安定し、老人や怪我人等が非常に使いやすく、また接地部材の全面を接地させたままにしていれば非常に安定した状態になるという効果がある。
【００１２】
また本考案に係る杖先部材を取り付けた杖は、上記共通の効果に加え、壁や机などに斜めに立て掛けることが容易にできるようになるという効果がある。
【考案を実施するための最良の形態】
【００１３】
以下本考案の実施の形態を図面を参照して説明する。
【実施例１】
【００１４】
図１は本考案に係る杖の第１実施例の部分断面側面図、図２は要部の拡大部分断面側面図である。図示の杖は松葉杖で、二股状の支柱１、１の上端を腕あて２で連結し、また支柱１、１の途中部位に握り３を配し、さらに、寄せ合わせた支柱１、１の下端側にフットピース４を固定し、自在継ぎ手５及びコイルスプリング６を介してフットピース４の下端に石突き７を連結して構成してある。図中８は握り３を支柱１、１間に固定するための長ビス、９は蝶ねじ、１０はキャップで、キャップ１０は支柱１、１の下端に被せてあり、その中央部をフットピース４が貫通している。なお、フットピース４は二重管になっており、支柱１への取り付け側を固定し、キャップ１０よりも下方へ突出する部分を支柱１への取り付け側に対して出没させることにより、使用者の身長等にあわせて腕あて２の高さを変更できるようになっている。ただしこのような高さを変更する構造は周知であるので、詳細な図示及び説明は省略する。
【００１５】
石突き７は、金属板等のある程度剛性を有する平板材１１と、その下面側に貼着したゴム等からなるクッション兼用の滑り止め部材１２と、平板材１１の中央部から上方へ突出形成した軸部材１３とからなる。平板材１１は、フットピース４の断面積よりも広い適当な面積を有する。なおこれら石突き７を構成する部材の素材については、種々のものを採用でき、本実施形態の金属材とゴム材の組み合わせに限定されることはない。そして軸部材１３と自在継ぎ手５の外周をコイルスプリング６で囲み、コイルスプリング６をゴム製のカバー筒体１４で囲み、カバー筒体１４の上部に、棒状のフットピース４の下端部４ａを受け入れる凹部１４ａを設けたことを特徴とする。また滑り止め部材１２は、平板材１１の接地時の下面及び側面並びに上面の外周縁部を覆って構成してある。
【００１６】
すなわち本考案に係る杖の特徴とするところは、自在継ぎ手５及びコイルスプリング６を介してフットピース４の下端に石突き７を連結した点と、カバー筒体１４によって杖の下端であるフットピース４の下端部４ａに着脱可能としたことにある。
【００１７】
自在継ぎ手５は、フットピース４の下端部と石突き７の軸部材１３の上端を揺動回転可能に連結している。図示の例では単純なフック式のものであるが、もちろん本考案ではこれに限定されず種々のものを用いることができる。コイルスプリング６は、石突き７の軸部材１３より広径の圧縮スプリングで、石突き７の平板材１１の上面から自在継ぎ手５の外周を囲むように設けてある。このコイルスプリング６は、フットピース４あるいは石突き７の揺動回転に応じて撓むことができ、かつ撓んだ状態ではフットピース４と石突き７の軸部材１３が一直線上に並ぶ状態へ復帰するように付勢する。
【００１８】
本実施例に係る杖の使用状態を説明する。石突き７の滑り止め部材１２が接地していない状態では、図１に示すようにコイルスプリング６の付勢力によってフットピース４と石突き７の軸部材１３が一直線上に並んでいる。この状態から前方（図３の左方向）へ振り出して支柱１が斜めになった状態で石突き７の滑り止め部材１２の縁が着地すると、支柱１から掛かる力が接地面と垂直ではなくても、自在継ぎ手５の働きにより石突き７が素早く下方へ回動して滑り止め部材１２の全体が接地し、図３に示すように安定した着地状態を作りだす。この着地状態で、コイルスプリング６はフットピース４（あるいは石突き７）の揺動回転に応じて上部が撓み、フットピース４と石突き７の軸部材１３が一直線上に並ぶ状態へ復帰するように付勢する。この状態から使用者が前方へ歩行するなどして移動すると、フットピース４より上の部分は自在継ぎ手５の連結部分を中心に前方へ揺動し、これにコイルスプリング６の撓み状態も連動するが、自在継ぎ手５の存在によって石突き７の滑り止め部材１２は全面で接地したままの安定状態を保つ。またカバー筒体２０によって自在継ぎ手５の連結部分やコイルスプリング６の上部が覆われているので、この部分で使用者の体を挟んだり、傷つけたりすることが無い。
【００１９】
なお図４に示す本実施形態の他の使用状態を示す部分断面正面図のように、本実施形態に係る杖は、自在継ぎ手５によってフットピース４より上の部分が側方へも揺動回転でき、かつ安定接地状態を保つことができるようになっている。したがって、この杖を机などに立て掛けるときは、図５に示すように、図３や図４に示す状態と同様に傾けて石突き７の滑り止め部材１２の全面を接地させ、机１５等に立て掛けておけば、外力が加わらないかぎり倒れたりせずに安定した状態を保つ。
【００２０】
またなお、一般にこの種の杖では下側の構成部分を重くして重心を下げ、安定性を作り出そうとするが、これに加えてコイルスプリング６の付勢力、可撓性等の性状を適宜選択すれば、石突き７の滑り止め部材１２を全面的に平坦面上に接地させた状態で自立させることも可能である。
【実施例２】
【００２１】
図６は本考案に係る杖の第２の実施例の部分断面側面図、図７、８はその使用状態を示す図３、４相当の部分断面側面図、部分断面正面図である。本実施形態の杖は、いわゆるステッキで、１本の細い棒状の杖部２０と、その上端部のグリップ２１と、先の実施形態と同構成の石突き７と、これらの間を連結する自在継ぎ手５及びコイルスプリング６とから構成してある。構成、作用については先の実施形態とほぼ同様であるので説明は省略する。
【図面の簡単な説明】
【００２２】
【図１】本考案に係る杖の一実施形態の部分断面側面図である。
【図２】同要部の拡大部分断面側面図である。
【図３】同使用状態を示す部分断面側面図である。
【図４】同他の使用状態を示す部分断面正面図である。
【図５】同立て掛け状態を示す部分断面正面図である。
【図６】本考案に係る杖の他の実施形態の部分断面側面図である。
【図７】同使用状態を示す図３相当の部分断面側面図である。
【図８】同使用状態を示す図４相当の部分断面正面図である。
【符号の説明】
【００２３】
１  支柱
２  腕あて
３  握り
４  フットピース
４ａ  フットピースの下端部
５  自在継ぎ手
６  コイルスプリング
７  石突き
８  長ビス
９  蝶ねじ
１０  キャップ
１１  平板材
１２  滑り止め部材
１３  軸部材
１４  カバー筒体
１４ａ  凹部
１５  机
２０  杖部
２１  グリップ
【図１】
0003131874.tif 000003
【図２】
0003131874.tif 000004
【図３】
0003131874.tif 000005
【図４】
0003131874.tif 000006
【図５】
0003131874.tif 000007
【図６】
0003131874.tif 000008
【図７】
0003131874.tif 000009
【図８】
0003131874.tif 000010